(57)【要約】【課題】          従来のＩＣ機能を有する冊子に比べて、製造コストが低く、しかも、ＩＣチップが故障しない工夫を施し、柔軟性に優れたＩＣ機能を有する冊子を提供するものである。【解決手段】      冊子７の所定位置には予めＩＣチップが収納可能な凹部１１が設けられ、非接触で外部と情報の授受が可能なＩＣチップ２とアンテナ３を有するＩＣラベル１を、この凹部１１にはめ込み、ＩＣラベル１と冊子７の表紙を保護シート１４で覆うことを特徴とする。【選択図】        図３
2005096164.tif 000002
【特許請求の範囲】
【請求項１】
冊子の所定位置には、予めＩＣチップが収納可能な凹部が設けられ、非接触で外部と情報の授受が可能なＩＣチップとアンテナを有するＩＣラベルを、前記凹部にはめ込み、前記ＩＣラベルと前記冊子の表紙を保護シートで覆うことを特徴とする冊子。
【請求項２】
前記凹部は、前記ＩＣチップより大きな窪みで形成され、かつ前記ＩＣラベルを前記冊子に重合した際に、前記凹部に前記ＩＣチップが完全に収納され、前記冊子と前記ＩＣチップとの間に間隙部が設けられていることを特徴とする請求項１記載の冊子。
【請求項３】
前記凹部は、前記冊子の表表紙部又は裏表紙部に設けられていることを特徴とする請求項１及び２記載の冊子
【請求項４】
前記凹部には、衝撃緩衝材を充填し、前記ＩＣチップをはめ込むことを特徴とする請求項１乃至３記載の冊子
【請求項５】
前記ＩＣラベルは、柔軟性があり、前記冊子の表紙と前記ＩＣラベルの間で前記ＩＣチップを保護することで前記冊子に柔軟性を持たせたことを特徴とする請求項１乃至４記載の冊子
【請求項６】
前記ＩＣラベルの一部には、冊子固有の情報が付与されていることを特徴とする請求項１乃至５記載の冊子。
【請求項７】
前記保護シートは、透明フィルムであって、前記ＩＣラベルと前記冊子の表紙を一体として接着させることを特徴とする請求項１乃至６記載の冊子。
【請求項８】
前記保護シートの一部には切り込みが設けられていることを特徴とする請求項１乃至７記載の冊子
【発明の詳細な説明】
【技術分野】
【０００１】
本発明は、非接触で外部と情報の授受が可能なＩＣチップとアンテナを有するＩＣラベルが内蔵されたパスポート、預金通帳、社員証、学生証等の身分証明用に用いられる冊子に関するものである。
【背景技術】
【０００２】
パスポート、預金通帳、社員証、学生証等の身分を証明する冊子に、外部と情報の授受が可能なＩＣチップ、アンテナを有するＩＣカード等を内蔵したＩＣ冊子については、冊子とＩＣカードそれぞれ独立した品質保証ができ、冊子に貼り付けたＩＣカードを貼り替えたことが確認でき偽造や変造を防止することが可能なＩＣ冊子が提案されている（例えば特許文献１参照）。
【０００３】
このＩＣ冊子は、ＩＣチップとアンテナを樹脂又は厚紙で挟み込んで構成されたＩＣカードを前提としているため、このＩＣカードを冊子の表表紙又は裏表紙、更に冊子内の複数頁の一部に貼り付けると、冊子の柔軟性が失われることとなる。
【０００４】
この冊子を使用した場合、個人情報を付与する段階で使用されている発給機やＡＴＭの冊子搬送機構のほとんどがローラ駆動によって冊子を搬送する機構であり、さらに屈曲部を設けることで頁を開く機構となっているため、冊子は搬送できず、ＩＣチップも破損するといった問題点があり、冊子には柔軟性が求められている。
【０００５】
この課題を解決する方法として、ＩＣチップ部分と冊子内側に綴じ合わされた本文用紙とが重合しないように、本文用紙の角部付近領域に切り欠きを設けることも提案されている（例えば特許文献２参照）。
【０００６】
しかしながら、この提案に記載されている冊子の場合には、ＩＣチップが内蔵された表面と対向する位置（文献では角部付近領域）の本文用紙を切り欠くため、ＩＣチップと本文用紙が重なっている状態では、ＩＣチップを圧力から保護する利点は窺えるが、冊子を開いた状態で使用する場合には、ＩＣチップが表面から膨れ上がっている状態に変わりなく、剥き出し状態となっていることから、使用者が取り扱う際にＩＣチップに圧力が加わり、破損させる危険性が残っている。
【０００７】
さらに、この冊子形態の場合には、本文用紙の一部に切り欠きが設けられていることから、本文用紙が本来持つ有効な記載領域が制限されるといった問題がある。
【０００８】
【特許文献１】特開平１１−３４８４６９号公報
【特許文献２】特開２０００−１５３６８１号公報
【発明の開示】
【発明が解決しようとする課題】
【０００９】
そこで本発明は、冊子本来の持つ有効な記載領域を損なわず、冊子の製造時及び使用時におけるＩＣチップの破損を防止し、さらに携帯時の利便性の高い柔軟性に優れた冊子を提供することを目的としている。
【課題を解決するための手段】
【００１０】
前記の課題を解消し、かつ目的を達成するために、本発明のＩＣラベルを備えた冊子は、冊子の所定位置には予めＩＣチップが収納可能な凹部が設けられ、非接触で外部と情報の授受が可能なＩＣチップとアンテナを有するＩＣラベルを、前記凹部にはめ込み、前記ＩＣラベルと前記冊子の表紙を保護シートで覆うことを特徴とするものである。
【００１１】
また、前記凹部は前記ＩＣチップより大きな窪みで形成され、かつ前記ＩＣラベルを前記冊子に重合した際に、前記凹部に前記ＩＣチップが完全に収納され、前記冊子と前記ＩＣチップとの間に間隙部が設けられていることを特徴としている。
【００１２】
また、前記凹部は、前記冊子の表表紙部又は裏表紙部に設けられていることを特徴としている。
【００１３】
また、前記凹部には衝撃緩衝材を充填し、前記ＩＣチップをはめ込むことを特徴としている。
【００１４】
また、前記ＩＣラベルは柔軟性があり、前記冊子の表紙と前記ＩＣラベルの間で前記ＩＣチップを保護することで前記冊子に柔軟性を持たせたことを特徴としている。
【００１５】
また、前記ＩＣラベルの一部には冊子固有の情報が付与されていることを特徴とするものである。
【００１６】
更に、前記保護シートは透明フィルムであって、前記ＩＣラベルと前記冊子の表紙を一体として接着させることを特徴としている。
【００１７】
そして、前記樹脂フィルムの一部に切り込みが設けられていることを特徴とするものである。
【発明の効果】
【００１８】
本発明のＩＣラベルを備えた冊子は、一般的に用いられているＩＣカードのように、ＩＣチップを樹脂又は厚紙で挟み込んだインレイと呼ばれる形態でなく、柔軟性に優れたＩＣラベルとしたことから、低い製造コストで冊子を提供することができる。
【００１９】
すなわち、冊子にＩＣカードは挿入せず、ＩＣラベルを冊子製造工程の最後に貼付することとしているため、冊子の製造装置の途中工程にＩＣカード挿入装置、ＩＣカードを固定するための糊塗布装置を必要とせず、現行の製造工程を複雑に変更する必要がない。
【００２０】
また、冊子自体に柔軟性があるため、冊子内に個人情報を付与する段階で使用される発給機やＡＴＭの冊子搬送機構において、屈曲部が多く搬送できないなどの問題点もなく、ＡＴＭなどの搬送機構を改造する必要がない。併せて、携帯時の利便性も優れているという効果がある。
【００２１】
また、冊子の表紙の一部には、ＩＣチップをはめ込むための凹部を設け、冊子の表紙とＩＣチップとの間に僅かな間隙部が形成されることにより、ＩＣチップの表面には直接的な外圧は伝わらず、衝撃からＩＣチップを保護することができ、僅かな間隙部に、ゲル状のシリコン系樹脂又は弾性ゴムなど衝撃吸収材を備えることで、よりＩＣチップを保護するのに効果的である。
【００２２】
また、冊子の表紙の一部に凹部を形成したことで、発給機やＡＴＭなどで冊子中味に個人情報を付与するとしても、記帳する領域表面は平坦であるため、必要事項が問題なく記載され、冊子本来の持つ有効な機能を損なうことがない。
【００２３】
さらに、ＩＣラベル表面に冊子固有の情報を付与し、表面を保護シートで完全に覆っているので、読取装置による固有情報の読取りが可能であり、仮に保護シートの一部に切り込みを設けることで、保護シートを剥がし、ＩＣラベルを差し替えられていたとしても容易に確認ができ、偽造・改ざん防止の効果に優れている。
【発明を実施するための最良の形態】
【００２４】
以下、本発明のＩＣラベルを備えた冊子を図面に基づき詳細に説明する。
まず、本発明の第一の発明について説明する。図１及び図２は、ＩＣラベルを示す図である。ＩＣラベル１は樹脂シート４上に、非接触で外部と情報の授受が可能なＩＣチップ２、アンテナ３が設けられている。
アンテナ３は、エッチングで作製した銅を貼付してもよいし、導電性インキを用いてスクリーン印刷等で直接樹脂シート４へ形成しても構わない。その後、粘着シート５をアンテナ３が形成された表面を覆うように重ね合わせて作製する。この際、粘着シート５には、予めＩＣチップを避けるように開口部６を設けることで、粘着シート５と樹脂シート４が完全に密着することができる。
なお、実施の形態では、粘着層として粘着シート５を使用したが、粘着剤を樹脂シート４上へ直接塗布して粘着層を形成しても構わない。
【００２５】
次に、ＩＣラベルを備えた冊子について説明する。図３に示すように、冊子７は、表表紙部８、裏表紙部９、本文用紙１０から構成され、裏表紙部９は、図５に示すように、表紙９ａ、見返し用紙ｂを重ね合わせて形成されている（図示しないが、表表紙部８も同様に形成されている。）。
【００２６】
この冊子７の所定位置には、予めＩＣチップが収納可能な凹部１１が設けてあり、この凹部１１は、図５に示すように、表紙９ａに穴が事前に設けられた後、見返し紙９ｂを重ね合わせて接着させることで形成されるものであり、凹部１１にＩＣチップ２がはめ込まれるようにＩＣラベルを重ね合わせて接着し、その後、ＩＣラベルの表面から表表紙部８に亘って、冊子７全体を保護シート１４で覆いＩＣラベルを備えた冊子が作製される。
【００２７】
なお、凹部１１の所定位置は、図３の実施例では、裏表紙部９の中央付近に図示しているが、これに限定されるものではない。すなわち、凹部１１は、ＩＣラベル１のＩＣチップ２が収納可能な位置として対応付けられたものであることは前記記載から明らかであり、ＩＣラベル１の四隅角付近にＩＣチップ２が設けてある場合には、凹部１１も裏表紙部９の四隅角付近となり、ＩＣラベル１を表表紙部８へ重ねる場合には、凹部１１は表表紙部８に設けられることになる。
【００２８】
次に、本発明における第二の発明について説明する。図５に示すとおり、裏表紙部９とＩＣラベル１が重合され、密着すると、ＩＣチップ２の表面と裏表紙部９を構成している見返し紙９ｂの表面との間に僅かな間隙部１２が形成されている。すなわち、この間隙部１２を設けることで、見返し紙９ｂに外圧が加えられたとしても、ＩＣチップ２表面には直接的な外圧は伝わらず、衝撃からＩＣチップ２を保護することができる。
【００２９】
また、本発明における第三の発明について説明する。図３に示すとおり、ＩＣチップ２を収納するための凹部１１が裏表紙部９に設けられている。裏表紙部は、図５に示すとおり、表紙９ａと見返し紙９ｂの２枚から構成されており、表紙９ａに貫通穴を設け、見返し紙９ｂと重合させることにより凹部１１を形成し、ＩＣチップ２を収納可能とする。
【００３０】
なお、図４に示すとおり、表表紙部８と裏表紙部９は、２枚の基材を重合した構成とすることで、実施例には裏表紙部９に凹部１１を設けているが、これに限定されるものでなく、冊子の用途に応じて表表紙部９に凹部１１を設けても構わない。
【００３１】
また、別の実施の形態として本発明における第四の発明について説明すると、ＩＣチップ２の表面と裏表紙部９を構成している見返し紙９ｂの表面との間の僅かな間隙部１２に、ゲル状のシリコン系樹脂又は弾性ゴムなど衝撃吸収材を備えるとＩＣチップ２を保護することができる。
【００３２】
また、本発明における第五の発明について説明すると、図５に示すとおり、ＩＣチップ２は裏表紙部９を形成している表紙９ａとＩＣラベルの基材である樹脂シート４のそれぞれ柔軟性の高い素材によって重合され、さらに、ＩＣチップ２の上面を見返し紙９ｂで覆うように形成されている。
【００３３】
すなわち、一般的に用いられているＩＣカードのように、ＩＣチップを樹脂又は厚紙で包埋することでＩＣチップを保護しているのに対し、柔軟性の高い素材でＩＣラベルを保護する構成としている。
【００３４】
なお、基材として樹脂シート４を使用したが、柔軟性があるものであれば、紙やフィルムであってもよい。
【００３５】
そして、本発明の第六の発明を詳細に説明すると、図３に示すとおり、ＩＣラベル表面（保護シート１４と重なる面）には、冊子固有の情報として、冊子の管理番号をバーコード情報１３としてＩＪＰで印刷を施している。この冊子固有の情報は、実施の形態では冊子の管理番号をバーコード情報１３として印刷してあるが、パスポートとして使用する場合には、旅券発給事務所ごとに割り当てられた固有の情報をバーコード情報として付与してもよく、更に、オフセット印刷、凹版印刷、グラビア印刷、スクリーン印刷など各種の印刷方式により図柄（図示しない。）を印刷してもよい。
【００３６】
さらに、本発明の第七の発明を詳細に説明すると、図３に示すとおり、冊子７にＩＣラベル１を重ね合わせて密着し、その後、保護シート１４を用いて、ＩＣラベル１から表表紙部８まで全面に亘って接着させて、ＩＣラベルを備えた冊子を作製する。この際、保護シート１４として透明フィルムを使用すると、ＩＣラベル１表面に印刷されたバーコード情報１３、図柄を視認することができ、かつ、バーコード情報１３は、専用の読取装置を使用することで、機械処理も可能である。
【００３７】
さらに、本発明で使用する保護シート１４を透明シートとすることで、透明シート１４が剥がされＩＣラベル１が別のＩＣラベルと差し替えられた場合には、冊子の固有情報が壊れており、改ざんを人間の視覚と機械処理の両面から容易に見分けることが可能となる。
【００３８】
また、保護シート１４の一部に切り込み１５を設けることで、保護シート１４が剥がされた場合には、その一部が冊子に残るため、保護シート１４を差し替えたり、復元することが完全に不可能となり、より改ざん防止に効果的である。
【００３９】
なお、本実施例では、改ざん防止を目的とするために保護シート１４に透明シートを使用し、更に剥離防止策を施しているが、これに限定されるものでなく、ＩＣラベル１と冊子７の全体を保護するものであれば、有色のシートであっても構わない。
【産業上の利用可能性】
【００４０】
本発明による冊子は、ＩＣ機能を有しつつ、柔軟性に優れているため、冊子内に個人情報を付与する段階で使用される発給機やＡＴＭの冊子搬送機構への影響もなく、更に携帯時の利便性も高いため、パスポート、預金通帳、社員証、学生証等の身分証明用に広く用いることが可能である。
【図面の簡単な説明】
【００４１】
【図１】本発明の一実施形態に係るＩＣラベルの構成を示す側面図である。
【図２】ＩＣラベルの構成を示す平面図である。
【図３】本発明に係るＩＣラベルを冊子に重ね合せる状態を示す斜視図である。
【図４】本発明のＩＣラベルを備えた冊子を示す断面図である。
【図５】図４のＡ部を詳細に示す断面図である。
【符号の説明】
【００４２】
１    ＩＣラベル
２    ＩＣチップ
３    アンテナ
４    樹脂シート
５    粘着シート
６    開口部
７    冊子
８    表表紙部
９    裏表紙部
９ａ  表紙
９ｂ  見返し紙
１０  本文用紙
１１  凹部
１２  間隙部
１３  バーコード情報
１４  保護シート
１５  切り込み
【図１】
2005096164.tif 000003
【図２】
2005096164.tif 000004
【図３】
2005096164.tif 000005
【図４】
2005096164.tif 000006
【図５】
2005096164.tif 000007